(57)【要約】【課題】  口臭予防に有効な舌苔除去用の口腔ケア品を提供する。【解決手段】  不織布、ガーゼ、カット綿等の微細繊維質を集合した繊維質ベースを、２〜３ｃｍ程度の口腔内挿入に適した大きさとして、該繊維質ベースに着香剤、甘味剤等の嗜好用添加物や、抗炎症剤等の薬用添加物を含有して、口腔内舌体拭き取り又は口腔内咀嚼用として個装して口腔ケア品とする。舌体に残存付着した舌苔を有効に除去して、該舌苔に起因する口臭を予防することが可能になる。上記繊維質ベースに、咀嚼用のチューインガム、グミ等の嗜好品を積層乃至混合配置すること、繊維質ベースを折畳みシートとして、拡開によって舌体を挿入する透孔を備えて、舌側縁の拭き取りを可能とすることもできる。【特許請求の範囲】
【請求項１】
不織布、ガーゼ、カット綿等の微細繊維質を集合した繊維質ベースを用い、口腔内舌体拭き取り又は口腔内咀嚼によって舌体表面粘膜における舌苔除去用としてなることを特徴とする口臭予防口腔ケア品。
【請求項２】
上記繊維質ベースを、シート、ブロック等の口腔挿入用の小片に形成してなることを特徴とする請求項１、２又は３に記載の口臭予防口腔ケア品。
【請求項３】
上記繊維質ベースに、着香剤、甘味剤等の嗜好用添加物及び／又は口腔洗浄液、口腔殺菌剤等の薬用添加物を含有してなることを特徴とする請求項１又は２に記載の口臭予防口腔ケア品。
【請求項４】
上記繊維質ベースに薬用添加物を含有するとともに該薬用添加物をマンゴスチン外果皮の抽出液又はその希釈液としてなることを特徴とする請求項１又は２に記載の口臭予防口腔ケア品。
【請求項５】
上記繊維質ベースに、チューインガム、グミ等の咀嚼用嗜好品を積層乃至混合配置してなることを特徴とする請求項１、２、３又は４に記載の口臭予防口腔ケア品。
【請求項６】
上記繊維質ベースを、舌体挿入用の透孔を備えて形成してなることを特徴とする請求項１、２、３、４又は５に記載の口臭予防口腔ケア品。
【請求項７】
上記口腔ケア品を個装してなることを特徴とする請求項１、２、３、４、５又は６に記載の口臭予防口腔ケア品。
【発明の詳細な説明】
【技術分野】
【０００１】
本発明は、口臭を予防するに用いる口臭予防口腔ケア品に関する。
【背景技術】
【０００２】
この種の口臭を予防する口腔ケア品として、マウススプレー、薬用リンス等が知られている他、下記特許文献１によって口腔内で舌苔の取除きのための舌苔清掃具が知られており、これによれば、竿状把持部の先端に配置したヘッド部の片面又は両面に、表面を粗面とした多孔性乃至多間隙性をなす不織布、織布等による舌苔清掃用のシートを配置したものとされ、竿状把持部を手握りして、ヘッド部を舌体に当てがい、舌体表面の舌苔を除去するように用いるものとされる。
【先行技術文献】
【特許文献】
【０００３】
【特許文献１】特開２００８−１８８２７５号公報
【発明の概要】
【発明が解決しようとする課題】
【０００４】
本発明者は、口臭は、例えば歯周病、内臓疾患等の病的要因が存在することによって生じるところ、一般には、該病的要因以外に、舌体に付着乃至残存した食物残渣及びこれに繁殖した多種細菌によるものであるとの知見を有している。即ち、一般にヒトの舌体は、舌筋の表面を粘膜が被覆するとともに該粘膜には、糸状乳頭、茸状乳頭、葉状乳頭等が存在することによって、その表面積は２０ｍ２に及ぶ凹凸に富んだ多孔状ともいえる凹凸面をなしているため、食物の摂取時の口腔内咀嚼によって舌体凹凸面の乳頭間に食物残渣が付着乃至残存して舌苔となり、口腔内の２００種ともいわれる細菌がその蛋白質を分解することによって硫化水素、メチルメルカプタン、ジメチルサルファイド等のガスが生じるために、呼吸とともにその臭気が口腔外に至ることによって発生することが多く、従って、病的要因以外のこのような一般的な口臭の予防のためには、舌体の凹凸面に存在する舌苔を除去することが有効である。
【０００５】
この観点から見ると、上記マウススプレー、薬用リンス等は瞬間的乃至一過性のものである上、薬用リンスによって口腔内の洗浄をなし得るものとしても、それは舌体の表面に対する洗浄にすぎず、該薬用リンスに舌苔除去に有効であるとすることはでき得ない。一方、上記特許文献１の舌苔清掃具は、舌体に対して直接に接触することによって、そのヘッド部のシートが舌苔の除去をなし得るとしても、舌苔の除去に際して、口腔内に異物を挿入することによる吐き気を誘発する可能性を否定し難く、また、このように舌苔清掃具を用いると、使用者は、その清掃効果を高めようとして加圧状態でヘッド部を舌体に押し付けて舌体上を移動するように使用することが多く、この場合には舌体表面の粘膜を損傷するに至ることがあり、従って該ブラシ状のものを舌苔清掃具としても、実際には一時的な使用となるに止まる傾向がある。
【０００６】
従って、これら従来知られる口腔ケア品は、舌苔除去をなし得ないか、なし得たとしても舌苔除去用のものとして必ずしも有効且つ適切なものということはできない状況にある。
【０００７】
本発明はかかる事情に鑑みてなされたもので、その解決課題とするところは、一般に口臭の要因をなす舌苔除去を適切に行うことによって、可及的有効に口臭を防止し得るようにした口臭予防口腔ケア品を提供するにある。
【課題を解決するための手段】
【０００８】
上記課題に沿って、本発明は、不織布、ガーゼ、カット綿等の微細繊維質を用いることが、舌体の拭き取りによる舌苔除去に好適であり、また、口腔内の咀嚼に好適である上、該口腔内の咀嚼を行うことによって耳下、顎下、舌下の唾液腺による唾液の分泌を促進し、該唾液の自浄作用によって更に舌苔の付着効果を得られること、従って該微細繊維質を集合して繊維質ベースを形成して、これを口腔内のケア品とすれば、舌体の拭き取りや口腔内の咀嚼に好適にして且つ舌苔除去に有効なものとし得ることから、請求項１に記載の発明を、不織布、ガーゼ、カット綿等の微細繊維質を集合した繊維質ベースを用い、口腔内舌体拭き取り又は口腔内咀嚼によって舌体表面粘膜における舌苔除去用としてなることを特徴とする口臭予防口腔ケア品としたものである。
【０００９】
請求項２に記載の発明は、上記に加えて、上記繊維質ベースを、口腔内に挿入して舌体の拭き取り又は口腔内咀嚼に適した小片とすることによって、口腔内挿入に抵抗感のないものとするように、これを、上記繊維質ベースを、シート、ブロック等の口腔挿入用の小片に形成してなることを特徴とする請求項１、２又は３に記載の口臭予防口腔ケア品としたものである。
【００１０】
請求項３に記載の発明は、同じく上記に加えて、上記繊維質ベースに嗜好用及び／又は薬用の添加物を添加することによって、口腔ケア品としての機能乃至作用を向上した好ましい形態のものとするように、これを、上記繊維質ベースに、着香剤、甘味剤等の嗜好用添加物及び／又は口腔洗浄液、口腔殺菌剤等の薬用添加物を含有してなることを特徴とする請求項１又は２に記載の口臭予防口腔ケア品としたものである。
【００１１】
請求項４に記載の発明は、同じく上記に加えて、上記繊維質ベースを、少なくともマンゴスチン外果皮の抽出液又はその希釈液を薬用添加物として含有することによって、該マンゴスチン外果皮のキサントン誘導体によるフィブリンネット形成促進作用を備えた好ましい形態のものとするように、これを、上記繊維質ベースに薬用添加物を含有するとともに該薬用添加物をマンゴスチン外果皮の抽出液又はその希釈液としてなることを特徴とする請求項１又は２に記載の口臭予防口腔ケア品としたものである。
【００１２】
請求項５に記載の発明は、同じく上記に加えて、上記繊維質ベースに、チューインガムやグミの如き咀嚼用の嗜好品を積層乃至混合配置することによって、口腔ケア品としての機能乃至作用を向上した好ましい形態のものとするように、これを、上記繊維質ベースに、チューインガム、グミ等の咀嚼用嗜好品を積層乃至混合配置してなることを特徴とする請求項１、２、３又は４に記載の口臭予防口腔ケア品としたものである。
【００１３】
請求項６に記載の発明は、同じく上記に加えて、舌体の拭き取り又は口腔内咀嚼に際して、舌体挿入用に配置した透孔に舌体を挿入し得るようにして、舌側縁の拭き取りを同時になし得るものとするように、これを、上記繊維質ベースを、舌体挿入用の透孔を備えて形成してなることを特徴とする請求項１、２、３、４又は５に記載の口臭予防口腔ケア品としたものである。
【００１４】
請求項７に記載の発明は、同じく上記に加えて、使用の都度に個別に包装したケア品を取出して、舌体の拭き取り又は口腔内咀嚼をなし得る使い勝手の良好なものとするように、これを、上記口腔ケア品を個装してなることを特徴とする請求項１、２、３、４、５又は６に記載の口臭予防口腔ケア品としたものである。
【００１５】
本発明はこれらをそれぞれ発明の要旨として、上記課題解決の手段としたものである。
【発明の効果】
【００１６】
本発明は以上のとおりに構成したから、請求項１に記載の発明は、不織布、ガーゼ、カット綿等の微細繊維質を用いることが、舌体の拭き取りによる舌苔除去に好適であり、また、口腔内の咀嚼に好適である上、該口腔内の咀嚼を行うことによって耳下、顎下、舌下の唾液腺による唾液の分泌を促進し、該唾液の自浄作用によって更に舌苔の付着効果を得られることから、該微細繊維質を集合して繊維質ベースを形成して、これを口腔内のケア品とし、舌体の拭き取りや口腔内の咀嚼に好適にして且つ舌苔除去に有効なものとすることによって、一般に口臭の要因をなす舌苔除去を適切に行うことによって、可及的有効に口臭を防止し得るようにした口臭予防口腔ケア品を提供することができる。
【００１７】
請求項２に記載の発明は、同じく上記に加えて、上記繊維質ベースを、口腔内に挿入して舌体の拭き取り又は口腔内咀嚼に適した小片とすることによって、口腔内挿入に抵抗感のないものとすることができる。
【００１８】
請求項３に記載の発明は、上記に加えて、上記繊維質ベースに嗜好用及び／又は薬用の添加物を添加することによって、口腔ケア品としての機能乃至作用を向上した好ましい形態のものとすることができる。
【００１９】
請求項４に記載の発明は、同じく上記に加えて、上記繊維質ベースを、少なくともマンゴスチン外果皮の抽出液又はその希釈液を薬用添加物として含有することによって、該マンゴスチン外果皮のキサントン誘導体によるフィブリンネット形成促進作用を備えて、口腔ケア品としての機能乃至作用を向上した好ましい形態のものとすることができる。
【００２０】
請求項５に記載の発明は、同じく上記に加えて、上記繊維質ベースに、チューインガムやグミの如き咀嚼用の嗜好品を積層乃至混合配置することによって、口腔ケア品としての機能乃至作用を向上した好ましい形態のものとすることができる。
【００２１】
請求項６に記載の発明は、同じく上記に加えて、舌体の拭き取り又は口腔内咀嚼に際して、舌体挿入用に配置した透孔に舌体を挿入し得るようにして、舌側縁の拭き取りを同時になし得るものとすることができる。
【００２２】
請求項７に記載の発明は、同じく上記に加えて、使用の都度に個別に包装したケア品を取出して、舌体の拭き取り又は口腔内咀嚼をなし得る使い勝手の良好なものとすることができる。
【発明を実施するための形態】
【００２３】
以下本発明を更に具体的に説明すれば、口臭予防口腔ケア品は、不織布、ガーゼ、カット綿等の微細繊維質を集合した繊維質ベースを用い、口腔内舌体拭き取り又は口腔内咀嚼によって舌体表面粘膜における舌苔除去用としたものとしてある。
【００２４】
口腔ケア品の繊維質ベースに用いる微細繊維質は、綿等の適宜の天然繊維、レーヨン、アセテート等の適宜の合成繊維にして、例えば、これら繊維を融着集合して形成した不織布、繊維を織成集合して形成した織布、漉き処理後成形集合してカット処理を施したカット綿等を使用することができる。
【００２５】
このとき、これら繊維質ベースは、これを、シート、ブロック等の口腔挿入用の小片に形成したものとすることが好ましい。即ち、口腔内に挿入して、舌体を拭き取り又は口腔内咀嚼を行うに適した、例えば、一辺を２〜３ｃｍ程度とする方形乃至矩形にして、厚さを１〜２ｍｍから５〜６ｍｍ程度とするように、単独のシート乃至材料シートを折畳んで形成した折畳みシートとして、上記拭き取り又は口腔内咀嚼を行うようにしたものとすること、また、一辺を数ｍｍ程度とする立方体のブロックとして、複数個を同時に口腔内に挿入して口腔内咀嚼を行うようにしたものとすることができる。
【００２６】
上記繊維質ベースは、該繊維質ベースによって口腔ケア品を形成することができるが、一般には、該繊維質ベースに、着香剤、甘味剤等の嗜好用添加物及び／又は口腔洗浄液、口腔殺菌剤等の薬用添加物を含有したものとすること、上記繊維質ベースに薬用添加物を含有するとともに該薬用添加物をマンゴスチン外果皮の抽出液又はその希釈液としたものとすること、また、上記繊維質ベースに、チューインガムやグミの如き咀嚼用の嗜好品を積層乃至混合配置したものとすることによって、それぞれ口腔ケア品としての機能乃至作用を向上した好ましい形態のものとすることができ、これによって該口腔ケア品を常時携行して、必要に応じて使用するものとして、その商品価値を高めることができる。
【００２７】
例えば、グレープフルーツ風味とした口腔ケア品とする場合、下記実験例の表１に示す如くに、シート乃至ブロックに、基材としての水に対して、保湿剤、研磨剤、甘味剤、清涼剤、着香剤、防腐剤、可溶化剤等の添加物を含むものとした上、更にマンゴスチン外果皮の抽出液を、ｐＨ調整、変色防止とともに該抽出液のキサントン誘導体によるフィブリンネット形成促進作用による抗炎症剤の薬用添加物として添加し、同時にグリチルリチン酸２Ｋを、同じく抗炎症剤の薬用添加物として添加したものとすることができ、このようにすることによって、該グレープフルーツメントール風味のシート乃至ブロックは、これを嗜好品のように風味と味覚に富み且つ抗炎症作用を有する口腔ケア品とすることが可能となる。従って繊維質ベースは、そのシート乃至ブロックの形態を問わずに、適宜の嗜好用添加物や口腔洗浄剤、口腔殺菌剤等の薬用添加物あるいはマンゴスチン外果皮の抽出液やその希釈液による薬用添加物を、口腔ケア品の需要者に合せて単独又は複数使用して添加することができる。
【００２８】
更に、繊維質ベースは、単独又は上記嗜好添加物乃至薬用添加物とともにチューインガム、フルーツ味等適宜風味のグミのような菓子系である咀嚼用の嗜好品を同時に用いることができる。該咀嚼用の嗜好品は、例えば上記繊維質ベースの折畳みシートやブロックの内側乃至外側に、例えば載置し、サンドイッチ状等に適宜に積層配置し、また、例えば、粒状、板状等に適宜に細分化したこれら咀嚼用の嗜好品を折畳みシートやブロック中に適宜に混合配置することができ、これによって該シート乃至ブロックは嗜好品としての傾向を強めるとともに主に口腔内咀嚼用として該口腔内咀嚼を促進することによって舌苔除去効果を向上したものとすることができる。なお、該嗜好品の積層配置乃至混合配置に際しては、該嗜好品量が量的に過大となると、繊維質ベースの微細繊維質が咀嚼時に嗜好品内に取り込まれて、舌苔除去効果が損なわれることになるから、該嗜好品の積層配置乃至混合配置に当っては、繊維質ベースに対する配置の量をコントロールし且つ嗜好効果を可及的に生じるように留意することが必要である。
【００２９】
また、上記繊維質ベースを、舌体挿入用の透孔を備えて形成したものとすることができる。このとき該繊維質ベースを、シート、特に一辺を数ｃｍ以上、例えば５〜６ｃｍとしたシート材を折り畳んで上記小片の折畳みシートとしたものとするとともに上記シート材に上記透孔を透設したものとするようにして、該折畳みシートは、例えば、これを、その拭き取り乃至口腔内咀嚼前に拡開することによって、該透孔に舌体を挿入し、特に舌側縁の舌苔除去を行い、その後に再度折畳み、折畳みシートとして舌体の拭き取り乃至口腔内咀嚼を行うように使用するものとしてある。
【００３０】
繊維質ベースは、これを、個装することによって口臭予防用口腔ケア品とするのが好ましい。即ち、繊維質ベース、これに嗜好用添加物、口腔洗浄液、薬用添加物、咀嚼用の嗜好品等を含有乃至配置したものは、口腔内使用を行うために、その保管や携行を衛生的に行うことが望まれる上、上記添加物等を含有乃至配置したものは、その風味を保持するために乾燥を防止する必要が生じるから、該繊維質ベースは、これを気密性保持可能の包装材によって個別包装すれば、上記衛生面及び乾燥防止を行って、使用者の利便性を向上することができる。
【００３１】
このように形成した口臭予防用口腔ケア品は、例えば個装したものを開封して舌体の拭き取り又は口腔内咀嚼を行うように使用すればよい。一般に、呼吸は鼻呼吸によって行うところ、我国では口呼吸を行う比率が高いとされており、口呼吸を行うことによって口腔内が乾燥するため、舌苔が硬化状態で残存する傾向が強まるところ、口腔ケア品の使用によって該硬化状態の舌苔を可及的に除去し得るから、口呼吸の舌苔硬化によって恒常的となった口臭を可及的に予防することも可能になる。
【００３２】
本発明の実施に当って、口臭予防用口腔ケア品、その繊維質ベース、シート、ブロック等の小片、必要に応じて用いる繊維質ベースに添加する嗜好用添加物、口腔洗浄液、口腔殺菌剤等の薬用添加物、薬用添加物として使用するマンゴスチン外果皮の抽出液又はその希釈液、繊維質ベースに積層乃至混合配置する嗜好品、舌体挿入用の透孔、個装等の各具体的形状、構造、材質、これらの関係、これらに対する付加等は、上記発明の要旨に反しない限り様々な形態のものとすることができる。
【実験例】
【００３３】
３ｃｍ×３ｃｍにして折畳み厚さを２ｍｍ程度とした繊維質ベースの白色折畳みシートに、表１の配合目的に沿って添加物を配合することによって、グレープフルーツメントール風味とし且つマンゴスチン外果皮の抽出液を配合して口腔ケア品を作成した。該口腔ケア品を、５名を被験者として、舌体に載置し、１秒間１回の間隔で口腔内咀嚼を行い、被験者から清涼感、口腔汚れの有無、舌苔残存の程度、唾液流出量の多寡、被験後の唾液流出持続の有無、舌体損傷の有無及び感染の可能性（口腔内細菌による各種感染症誘発の可能性）について、良好なものから◎、○、△、×の４段階評価（但し、舌体損傷及び感染の可能性は有無の２段階評価）によって、その結果を記載させた。比較のために市販の歯ブラシと歯磨剤、歯間ブラシ（以上は舌体に直接使用）、デンタルリンス、口臭用スプレー、口臭用錠剤、キャンディ、チューインガム、デンタルフロス、舌ブラシ（舌苔除去具）を使用して、各被験者１名によって同様の評価を行い、その結果を記載させた。該結果を表２に示す。
【００３４】
【表１】
2012095809.tif 000002
【００３５】
【表２】
2012095809.tif 000003
【００３６】
表２に示すとおり、口腔ケア品の被験者５名は、その全員が清涼感、口腔汚れの有無、舌苔汚れ、即ち、舌苔残存の有無、唾液流出量の多寡、被験後の唾液流出持続の有無について◎を記載し、また、舌体損傷及び感染の可能性は無を記載して、極めて良好な結果を示した。比較のためのその余にあっては、一部に○があるも、舌体汚れについては殆どが△であり、口腔ケア品による舌苔除去効果が顕著に認められた。